(57)【要約】      （修正有）【課題】必然的食物摂取による(運動不足に因る体調不良脂肪沈着便秘水分吸収異物化)現況課題の早期解消装置を提供する。【解決手段】直腸洗浄装置は、特定する直腸内部に円筒状皮膜間先端部Ｎ−１を挿入し、スイッチＨ、先端部より光を照射し先端部カメラによりタブレットＡ−１に投影、異物拡大確認し温水噴射軟化促進させると同時に回転刃により削除するとともに、温水微物をフィルター浸透排水Ｅ−１に同時回収する、即時摘出を特徴とする。【選択図】図２
2019155081.tif 000002
【特許請求の範囲】
【請求項１】
特定する直腸内部に挿入する円筒状皮膜管先端部偏角Ｎ−１を有する直腸洗浄装置において、前記先端部に光照射光Ｂを備え、前記先端部に異物確認モニターに投影できるカメラＡを備え、前記先端部に温水噴射目的物を軟化促進できる温水噴射口Ｃを備え、前記円筒状皮膜管先端内部には回転軸Ｄ−１、Ｄ−２、Ｄ−３、該軸に連動する凸形先細歯車円錐形Ｇ−１と、該凹形広角歯車円錐形Ｇ−２との凸凹組み合わせ角度変更に連動し、前記先端部から出し入れ可能な回転刃Ｆとを有し、駆動スイッチＯＮ作動により回転刃Ｆで削除された異物を温水と同時に回収するための吸引口Ｅを有し、吸排水用の電動モーターポックス内Ｋを備えたことを特徴とする直腸洗浄装置。
【請求項２】
直腸内部に挿入する円筒状皮膜管Ｍは、Ｒ−２に設備する２重環メスネジを回すことにより、取り付け取り外しが可能となる長短３種は別容器にて高温殺菌洗浄ができる前記請求項１記載の直腸洗浄装置。
【発明の詳細な説明】
【技術分野】
【０００１】
本発明は、特願２０１８−４４９９８号先願内容に携わる歯車組み合せによる偏角に伴う動力伝達機械力学構成による発明特定をするものである。
【背景技術】
【０００２】
特表文献１は、機器に組み込まれたスプリング圧による先端部を肛門内部に注入し水圧による、隠された直腸洗浄装置／およびビデが発表されている。
【０００３】
特表文献２は、電気電動によるポンプ式液体注入、膣洗浄および／または直腸洗浄デバイスが発表されている。
【０００４】
実用新案文献３は、手動式ポンプ直腸洗浄装置が発表されている。
【先行技術文献】
【特許文献】
【０００５】
【特許文献１】特表２００７−５３０８４２号公報
【特許文献２】特表２００２−５２５１４０号公報
【特許文献３】登録実用３１５４０６４号公報
【発明の概要】
【発明が解決しようとする課題】
【０００６】
(病例)
近年増大する高齢化による運動不足、あるいは寝たきりのため体全体が衰弱する、止む負えない状態の長期化は腸内もそれに比例し、必然的食物摂取の多様化は近年特に、欧米化食品摂取による（動物脂肪過多・乳脂過多・糖過多・油酸過多）を招き、歴史的食文化の相違経緯要因とによる運動不足等に起因する腸内病変化は、若年より中高年に及ぼす過程は、相対的に＜女性に多く大腸炎に続き大腸癌発生率の多くが診られる、学会医学論文参照＞その外実例による周知事実であり、分けても（便秘）等に起因する直腸機能低下による排出に至る相当な時間的経過の課題がある。
【０００７】
(処置術)
腸内異物化摘出措置方法に、内視鏡鉗子による物体を挟む摘出、ハサミ、音波、温水、投薬内外等による処置は、相当な時間的経過を要す過程課題があり、＜特定する直腸内異物化摘出処置＞方法の時間的短縮化を求める。
【発明の効果】
【０００８】
肛門よりＳ状結腸に挿入する皮膜管先端部偏角を有する目的物確認に於ける（特定変異物質、腸炎症変異、ポリ−プ、腸壁脂肪沈着、食物変異、食物水分吸収硬化等）摘出されるべきもの等をタブレットに写し拡大確認しながら電動駆動回転刃により即時削除摘出処置は、（術者の熟練による）即効性があり、飛躍的患者負担の軽減になる。
【図面の簡単な説明】
【０００９】
【図１】肛門より腸内Ｓ状結腸に至る装置先端部Ｎ−１挿入イメ−ジ断面図。
【図２】本発明の実施形態を示す装置全体正面図。
【図３】円筒状皮膜管M先端部側面図。
【図３−１】円筒状皮膜管Ｍ内部の先端部内部構造断面図。
【図３−２】円筒状皮膜管Ｍ内部先端部Ｎ−１偏角位置を示す構成内部断面図。
【図３−３】凸形先細歯車円錐形Ｇ−１凹形広角歯車円錐形Ｇ−２双方を示す詳細側面図。
【図３−４】凸形先細円錐形Ｇ−１凹形広角円錐形Ｇ−２歯車噛み合せ伝達側面図。
【図３−５】凸形先細円錐形Ｇ−１凹形広角円錐形Ｇ−２歯車双方噛み合わせを示す詳細断面図。
【図４】円筒状皮膜管Ｍ外部先端部Ｎ−１偏角構成図。
【図４−１】円筒状皮膜管Ｍ外部偏角する為の構成部分側面図。
【図４−２】円筒状皮膜管Ｍ部外部偏角する為の詳細図。
【図５】円筒状皮膜管先端回転刃の出し入れする為の２重環構成図。
【図５−１】円筒状皮膜管先端回転刃の出し入れする為の２重環詳細構成図。
【図６】円筒状皮膜管Mの付替え構造断面図。
【発明を実施するための形態】
【００１０】
(診断)
処置専門医による、腹部腸内に於ける直腸問診、指診、及びレントゲンあるいは、内視鏡、超音波、ＭＲＩによる目的物（腸内炎症、腸肥大、腸変異、食物変異、脂肪沈着、その他病変異物）確認方法が診られる。
(処置方法)
概略１、
本願発明装置円筒状皮膜管先端部は、図３に示す目的物約３０広角レンズカメラＡにより、タブレットＡ−１に被写体投影拡大確認、局所に図３に示すＢにより光を照射し確認しながら目的物摘出処置術を行うことができる（光照射投影は光ファイバーLED）等の電動方法による周知技術を採用する。
【００１１】
概略２、
更に特定する、図１に示す肛門よりＳ状結腸に至る変異した図１に示す(Ｐ異物イメ−ジ図)摘出に、図２に示す円筒状皮膜管先端部Ｎ−１を挿入し、図２に示すＷ電源ＯＮ、スイッチＨを引き始動開始、温水を図３に示すＣより噴射異物化軟化を促し、図３に示す駆動回転刃Ｆにより異物を（削る）削除微細化すると同時に排出物は図３に示す、Ｅにより吸引され別容器図２に示すＥ−１に排出される方法による。
【００１２】
概略３、
上記一連の操作は移動可能な軽量電動装置によるものであり、患者はその場で移動することなく回診処置術ができる、この事は公共性負担軽減につながり、更に患者移動負担等を考慮することによる。
【００１３】
実施例１、(装置寸法特定)術者工程の敏速と非術者軽減による。
図３に示す回転刃Ｆ寸法直径は、８ミリ内とし、先端部回転刃Ｆ突き出し、１ミリ凸状異物を電動モータ−Ｋ軸に連動する駆動回転刃Ｆにより削ることができる、図３に示す円筒状皮膜管Ｍ内直径１２ミリとする、図２に示すＮ−１よりＮ−２の機能は同じでありＭの長さ(20.30.40.センチ)長短３種類の寸法を備え図５に示す(２重環Ｒ−２メスネジ)を回すことにより(取り外)しができる、腸内事情(病変による炎症肥大、脂肪沈着、食物変異、腸ねじれ変異)等による処置箇所に適応するための処置寸法選択を得るとともに、高温殺菌洗浄により繰り返し使用可能とするものである。
【００１４】
実施例２、(温水吸排水)
温水は、電圧１００Ｖヒ−タ線(0.8Ｇ板状、棒状)Ｗ電源ＯＮにより温め、自動制御サ−モスタット一定温度(概ね５０Ｃ)をＣ−１に設備するＣ−１よりＣ口より温水噴射するは、電動モ−タ−ポックス内Ｋに内蔵する(回転羽状)を設置することにより高速回転(風圧力が生まれ)圧力を空洞パイプに集中活用することにより吸排水が可能となり一方は給水し他方はＥ−１フイルタ−浸透経由し別容器Ｅ−１に回収される電源スイッチＨ、ＯＮ電動モ−タ−Ｋ内蔵駆動方法による。
【００１５】
実施例３、(歯車の特定)
図３−１、図３−２、図３−３に示す正面視双方どちらも扇を少し開いた形状に見る形を言うものでありその(形が重要)である事による扇形もしくは円錐形とし、以後表記、図正面視(凸型先細歯車円錐形Ｇ−１とし凹形広角歯車円錐形Ｇ−２)と特定する、このことは、片方が広角であり他方がそれに伴い(外れ易い)特徴を採用し円滑化を図る、(偏角に伴い(ずれ)を助長する)効果を求める為のものであり、(ずれ)によりその働き回転電動を歯車に伝える(歯車長さ寸法を限定)することにより偏角に適応し図３−４、図３−５示す(歯の噛み合い力学)によりその効果を生む構成によるものである。
【００１６】
実施例４，(歯車の構成)
(先端部Ｎ−１偏角に連動する歯車の（ずれ)による偏角）
図３−２図３−３正面視一方が(尖る、細くなる)、他方が広角により、（外れやすい、特徴を採用する）このことは、凸形先細歯車円錐形Ｇ−１、凹形広角歯車円錐形Ｇ−２と表記しＵ−１を操作(回す)とＵポイント設置ワイヤ−を引っ張ることになり、図２に示す切り欠き部Ｕに収まりＮ−１先端部が(への字型)３０度偏角する。
【００１７】
実施例５(歯車の噛み合い伝達)
偏角による（歯車双方の(づれ）による長さ寸法を１０ミリ内とし図３−５に示す(歯車双方噛み合いピッチ２ミリ内に収める構成による)Ｖ−１よりＶ−２メモリ−を回し軸心５ミリ内外突き出し調整する方法であり回転刃Ｆの突きだしは(１ミリ内外が理想的である）偏角助成に図４−１に示すＴ−３切り込み内に収まり誤差の修正Ｔ−４誤差を成すポイントに収まり偏角が可能となる。
【００１８】
実施例６，(歯車凸凹双方偏角助成)
(図４−１、ピンＴ−３ポイント<Ｕ−１、回す・ワイヤ−を引く>図４−１に示すＴ−３よりＴ−４ポイント折れ角寸法限定)と（凸凹歯車長さ寸法限定と切り込み角度）とにより可能となる。
【００１９】
実施例７，(凸凹歯車双方偏角に伴う軸心バネ圧効果)
さらに図３−１掲載のＤ−１、Ｄ−２スプリング様式内蔵のＭを含む蛇腹様式手動による切り欠き角度Ｕに収まる、（への字角は概ね１０度角・弓形）が可能となり、(ずれ)による(Ｓ)板が中軸を固定し(歯車間凸凹ずれ)をＤ−１、Ｄ−２、スプリングバネ圧により減圧時は自動回復する特徴による、（左曲げ、右曲げ、上下曲げ方向減圧対応する中軸はバネ圧)による安定を求め外軸中軸供に偏角できるものである。
【００２０】
実施例８、(偏角・備考)
筒状皮膜先端部切り欠き部(Ｕに凸凹歯車を重ねた点)により切り欠き部Ｕに収まり偏角が可能となる、これらは蛇腹スプリング様式使用は、軽量ボ−ト（軽量ボ−トは軽いため波の影響、揺れを受けやすいためエンジン保護とスクリュ−間に）応用され現在使用されている、さらに(蛇腹様式手動)は水道管等に使用され(曲がりくねった場所)に現在活用されている、これらの特徴を採用することにより複雑化する機能の円滑化を図るものである。
【００２１】
実施例９、(偏角歯車組合せ交接効果)
偏角には様々な(構成要件集合体)により歯車双方の偏角が形成され、その目的を成す電動駆動軸より伝わる図３−２図３−３に示す(歯車の噛み合わせ凸凹歯車機構)(歯のずれ)による噛みあわせは機械力学使用方法による構成である。
(備考)専門的歯車機械表示凸形歯車、凹形歯車有効(形重視・歯形ピッチ寸法方法による。
(歯車製作)硬質加重(鉄)１００／１製作。(目的物削除可能)
・  歯車製作精密機械金属製作方法等が考慮される。
・  歯車製作鋼質プラスチック採用は低コストが図れる。
【００２２】
実施例１０、(回転刃Ｆの出し入れ・外軸Ｍの取り外し)
図１に示す肛門より直腸内に挿入される円筒状皮膜管先端部回転刃Ｆは通常は皮膜管内部に収まりステンレス鋼内に設置している図４−１詳細示す突出しＦ刃をＶ-1Ｖ―２廻す。図６−１位置に重なる２重環Ｒ−１メスネジをひねる矢印を左に回すと(Ｍ外軸がスライドする、⇔連動中軸は板Ｓにより固定される)円滑に回転刃Ｆが先端に突き出る円筒外に装備する２重環を回すネジ<Ｒ−２、メスネジを回すとＭ軸は外れる２重環>を備える、図２や図４−２に示すメモリＶ−１よりメモリＶ−２に回すと１ミリより５ミリ伸びるメモリを示す、メモリ数により突きだし触れるものを回転刃Ｆにより削り粉砕する。(通常回転刃ＦはＭ軸内に収納、挿入時に腸壁害を防ぐ)
【００２３】
実施例１１、(軸心Ｄ−３出し入れ)
皮膜管Ｍ内部に回転軸に伝導する図５に示すＤ−３は、Ｒ−１、２重環メスネジを回すことにより取り外しができる、このことは、突き出し刃Ｆは作動しなく、温水噴射のみの洗浄処置術であり、その内容診断医術者判断により適宜に取り外し処置ができる。
【符号の説明】
【００２４】
Ａ被写体投影カメラ口。
Ａ−１映像写タブレット。
Ｂ光照射口。
Ｃ温水噴射口。
Ｃ−１温水器。
Ｄ−１蛇腹様式スプリング回転連動軸。
Ｄ−２蛇腹様式スプリング回転連動軸。
Ｄ−３回転伝導軸。
Ｅ吸引口。
Ｅ−１フイルタ−浸透排水。
Ｆ回転刃。
Ｎ−１ステンレス硬蛇腹様式。
Ｎ−２ステンレス硬蛇腹様式。
Ｇ−１凸形歯車先細(円錐形)。
Ｇ−２凹形歯車広角(円錐形)。
Ｈ始動スイッチ。
Ｊ円筒皮膜。
Ｋ電動モ−タ−内蔵ボツクス。
Ｍステンレス鋼蛇腹式。
Ｒ−１Ｍ軸２重環メスネジ。
Ｒ−２Ｍ軸２重環オスネジ。
Ｓ軸心固定板。
Ｔ−１切り欠き。
Ｔ−３切り欠き。
Ｔ−３ピン。
Ｔ−４ピンポイント。
Ｕ切り欠き部。
Ｕワイヤ−誘引。
Ｕ−１つまみ。
Ｖ−１メモリ−。
Ｖ−２メモリ−。
Ｗ電源スイッチ。
Ｙ電源差し込みプラグ。
Ｚにぎり。
【図１】
2019155081.tif 000003
【図２】
2019155081.tif 000004
【図３】
2019155081.tif 000005
【図３−１】
2019155081.tif 000006
【図３−２】
2019155081.tif 000007
【図３−３】
2019155081.tif 000008
【図３−４】
2019155081.tif 000009
【図３−５】
2019155081.tif 000010
【図４】
2019155081.tif 000011
【図４−１】
2019155081.tif 000012
【図４−２】
2019155081.tif 000013
【図５】
2019155081.tif 000014
【図５−１】
2019155081.tif 000015
【図６】
2019155081.tif 000016
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
直腸内部に挿入され、偏角可能な円筒状皮膜管先端部（Ｎ−１）を有する直腸洗浄装置において、前記円筒状皮膜管先端部に、光照射口（Ｂ）と、異物確認モニタ−に投影できるカメラ（Ａ）と、温水噴射目的物を軟化促進できる温水噴射口（Ｃ）とを備え、前記円筒状皮膜管先端内部に、回転軸（Ｄ−１、Ｄ−２、Ｄ−３）と、前記回転軸に連動して回転する凸形先細歯車円錐形（Ｇ−１）と  凹形広角歯車円錐形（Ｇ−２）との凸凹組み合わせ角度変更に連動し、前記円筒状皮膜管先端部から出し入れ可能な回転刃（Ｆ）と、駆動スイッチＯＮ作動により前記回転刃（Ｆ）で削除された異物を温水と同時に回収するための吸引口（Ｅ）とを有し、吸排水用の電動モ−タ−（Ｋ）を、備えたことを特徴とする直腸洗浄装置。
【請求項２】
直腸内部に挿入される円筒状被膜管（Ｍ）は、長短３種類の寸法を備え、２重環オスネジ（Ｒ−２）に設備する２重環メスネジ（Ｒ−１）を回すことにより、取付け取り外しが可能となり、別容器にて殺菌高温洗浄ができる請求項１に記載の直腸洗浄装置。